(57)【特許請求の範囲】
【請求項１】
長手方向に延びるよう形成され被検体内に挿入される挿入部と、
この挿入部の先端に配置された観察窓を有し、少なくとも前記観察窓が観察対象に接触した状態での観察が可能な観察部と、
前記観察部の長手方向における基端側に配置され、前記観察部の観察視野に向けて照明光を照射する照明窓と、
前記観察窓に向けて流体を噴出すると共に、頭頂部が前記長手方向における前記観察窓と前記照明窓の間に配置されたノズルと、
を具備したことを特徴とする内視鏡。
【請求項２】
前記観察窓は、前記長手方向に対し略直交して形成された第１先端面に配置され、前記ノズルは、前記第１先端面に隣接し、該第１先端面よりも基端側にて前記長手方向に対し略直交して形成された第２先端面に配置され、前記照明窓は、前記第１先端面および前記第２先端面に隣接し、前記頭頂部よりも基端側にて前記長手方向に対し略直交して形成された第３先端面に配置されていることを特徴とする、請求項１に記載された内視鏡。
【請求項３】
前記ノズルの噴出口は、前記観察窓に向け開口していることを特徴とする、請求項１に記載された内視鏡。
【請求項４】
前記照明窓は複数設けられ、前記観察部の前記観察対象の接触観察と非接触観察の切り換えは操作ワイヤを操作して行なわれ、前記観察部の前記観察窓の両側に位置する二つの前記照明窓の中心を結ぶ直線は、前記観察部の前記観察窓の中心と前記操作ワイヤの中心とを結ぶ直線と交差することを特徴とする、請求項１に記載された内視鏡。
【請求項５】
前記操作ワイヤは線状部材で形成され、前記挿入部の基端側から延出して前記観察部と連結され、前記挿入部の長手方向に進退されることで前記観察部の焦点切り換えを行なうことを特徴とする、請求項４に記載された内視鏡。
【請求項６】
前記線状部材の先端を、前記ノズルと前記観察部との間に配設したことを特徴とする、請求項５に記載された内視鏡。
【請求項７】
前記線状部材の先端を、前記挿入部の基端側から延出して前記ノズルの基端部と連結される送気送水管路と、前記挿入部の基端側から延出して前記観察部と連結される信号線との間に配設したことを特徴とする、請求項５に記載された内視鏡。
【請求項８】
前記第１先端面と前記第２先端面と前記第３先端面のそれぞれの隣接部分は、それぞれ斜面で形成して連結したことを特徴とする、請求項２に記載された内視鏡。
【発明の詳細な説明】
【技術分野】
【０００１】
本発明は、観察対象物に対して接触状態での観察と非接触状態での観察とが切り換え自在な内視鏡に関する。
【背景技術】
【０００２】
近年、対物光学系の焦点を切り換えて、観察対象物に対して接触状態での観察と非接触状態での観察とが切り換え自在な内視鏡が実用化されている。例えば、特許文献１には、被検体に挿入するための挿入部の先端の突出段部の平面に被検体を接触あるいは近接状態で観察する観察部の観察窓と、観察部の観察視野に向けて照明光を照射する照明系の照明窓が配設され、接触状態での観察と非接触状態での観察が切り換え自在な内視鏡が開示されている。【０００３】
日本国特開２００８−８６６６４号公報に開示されるような内視鏡の技術においては、例えば、体腔内等の内視鏡観察を行なう場合、照明系の照明窓と観察部の観察窓とが同じ面にあるため、観察部の観察窓を体腔内等の観察部位に接触させて長時間観察したときに、照明窓も同じく観察部位に接触して観察部位の生体粘膜等が照明光の熱の影響を受けてしまうおそれがある。【０００４】
本発明は上記事情に鑑みてなされたもので、観察部の観察窓を体腔内等の観察部位に接触させて長時間観察したとしても、熱の影響を観察部位に与えること無く、観察を十分に行なうことができる観察性の向上した内視鏡を提供することを目的としている。
【発明の開示】
【課題を解決するための手段】
【０００５】
本発明の一態様による内視鏡は、長手方向に延びるよう形成され被検体内に挿入される挿入部と、この挿入部の先端に配置された観察窓を有し、少なくとも前記観察窓が観察対象に接触した状態での観察が可能な観察部と、前記観察部の長手方向における基端側に配置され、前記観察部の観察視野に向けて照明光を照射する照明窓と、前記観察窓に向けて流体を噴出すると共に、頭頂部が前記長手方向における前記観察窓と前記照明窓の間に配置されたノズルとを具備したことを特徴とする。
【図面の簡単な説明】
【０００６】
【図１】本発明の実施の第１形態による、内視鏡システム全体の概略構成図である。
【図２】本発明の実施の第１形態による、内視鏡先端面の正面図である。
【図３】図２のＩＩＩ−ＩＩＩ要部断面図である。
【図４】図２のＩＶ−ＩＶ要部断面図である。
【図５】図３のＶ−Ｖ要部断面図である。
【発明を実施するための最良の形態】
【０００７】
以下、図面に基づいて本発明の実施の形態を説明する。【０００８】
図１において、符号１は内視鏡システムを示し、この内視鏡システム１は、内視鏡２と、内視鏡２に照明光を供給する照明系の光源装置３と、内視鏡２に対する信号処理を行なう信号処理装置としてのプロセッサ４と、プロセッサ４に接続されたモニタ５と、送気送水を行なう送気送水装置６と、内視鏡２先端面の前方に送水を行なう前方送水装置７とを備えて構成されている。【０００９】
内視鏡２は、被検体として、例えば体腔内に挿入する細長な挿入部１１と、挿入部１１の基端に連結される操作部１２と、操作部１２の側部から延出するユニバーサルケーブル１３とを有している。ユニバーサルケーブル１３の端部に設けられたコネクタ１４は、光源装置３に着脱自在に接続される。また、コネクタ１４は、スコープケーブル８を介してプロセッサ４に接続されている。【００１０】
また、内視鏡２の挿入部１１は長手方向に沿って延びる細長に形成されており、その先端に形成される硬質の先端部１５と、先端部１５の基端に形成される湾曲部１６と、湾曲部１６の基端から操作部１２まで形成される可撓性を備えた可撓管部１７とを有する。【００１１】
内視鏡２の湾曲部１６には、挿入部１１の軸方向に沿って図示しない円環状の複数の湾曲駒が回動自在に連設されている。各湾曲駒は、その内周面に四つのパイプ状のワイヤ受けが溶着等によって固設されている。四つのワイヤ受けは、挿入軸周りにそれぞれが略９０°ずらされた位置において、一つの湾曲駒の内周面に固定されている。【００１２】
また、これら複数の湾曲駒には、それらの外周を覆うように細線のワイヤ等を筒状に編み込んだ図示しない湾曲ブレードが被せられている。更に、この湾曲ブレードの外側には、水密を保つように外皮２１が被せられている（図３および図４参照）。【００１３】
そして、先端部１５、湾曲部１６および可撓管部１７からなる挿入部１１は、全長に渡って一体となるように外皮２１により被覆されている。この外皮２１の先端外周部分は、図３、図４に示すように、先端部１５に、例えば糸巻きされたのち接着された糸巻き接着部２２により固着されている。【００１４】
また、挿入部１１内には、湾曲部１６を湾曲操作する図示しない４本の湾曲操作ワイヤが挿通されている。これら４本の湾曲操作ワイヤの先端部分はそれぞれ、先端部１５内に設けられた固定環の四つの固定部により、挿入軸周りに略９０°にずらされて保持固定されている。更に、４本の各湾曲操作ワイヤはそれぞれ、湾曲駒の内周面の各ワイヤ受けに挿通されている。そして、４本の各湾曲操作ワイヤはそれぞれ、湾曲部１６から可撓管部１７の内部を通り、基端側の操作部１２に向かって延出されている。また、固定環は、後述する先端部１５の補強環１５ｂの内周側に挿嵌されている。【００１５】
尚、上述した湾曲操作ワイヤはそれぞれ、基端部が操作部１２内に設けられた図示しない湾曲操作機構に連結されている。操作部１２には、上述した湾曲操作ワイヤを牽引して湾曲操作機構を駆動するための、図示しない操作ノブが配設されている。【００１６】
そして、操作ノブの操作により、４本の湾曲操作ワイヤがそれぞれ交互に牽引又は弛緩され、湾曲部１６が４方向へ湾曲操作される。これら４方向とは、モニタ５に表示される内視鏡画像の上下左右の４方向に相当するものである。【００１７】
図２は、内視鏡２の挿入部１１の先端部１５の端面（先端面）２３の正面図を示し、この先端部１５の先端面２３は、挿入部１１の長手方向に対して略直交する方向の面となっている。【００１８】
そして、この先端面２３には、第１先端面２３ａ、第２先端面２３ｂ、そして第３先端面２３ｃがそれぞれ隣接して形成されている。これら各先端面２３ａ〜２３ｃの隣接部分は斜面で連結されている。【００１９】
第１先端面２３ａには、観察対象に接触した状態での観察と非接触状態での観察とが切り換え自在な、後述する観察部２８の観察光学系１１５における観察窓としての対物レンズ１１８が設けられている。【００２０】
また、第２先端面２３ｂには、噴出口３４ａが対物レンズ１１８に向け開口され、内視鏡２の挿入部１１の基端側から先端部に向けて流体を噴出する送気送水ノズル３４が設けられている。【００２１】
更に、第３先端面２３ｃには、観察部の観察視野に向けて照明光を照射する第１照明部２９の第１照明窓２９ｂおよび第２照明部３０の第２照明窓３０ｂが対物レンズ１１８の両側に設けられている。【００２２】
その他、本実施の形態では、先端部１５の先端面２３には、処置具挿通チャンネル（鉗子チャンネルともいう）３３の先端開口部３３ａと、洗浄水等の流体供給用の前方送水用の管路（前方送水チャンネル）３１の管路開口部３１ａとが配設されている（図５参照）。【００２３】
上述の各先端面２３ａ〜２３ｃは、それぞれ挿入部１１の長手方向に対して異なる位置に形成されている。以下に第１先端面２３ａ、第２先端面２３ｂ、そして第３先端面２３ｃの位置関係について説明する。【００２４】
図３および図４中の２点鎖線は、上述の各先端面２３ａ〜２３ｃにおける挿入部１１の長手方向に対して略直交する方向の位置を示している。対物レンズ１１８が設けられる第１先端面２３ａの位置をＨ１、送気送水ノズル３４が設けられる第２先端面２３ｂの位置をＨ２、第１照明窓２９ｂおよび第２照明窓３０ｂが設けられる第３先端面２３ｃの位置をＨ３として示している。更に、これら各先端面２３ａ〜２３ｃの位置に加えて、送気送水ノズル３４の頭頂部３４ｂの頭頂面の位置をＨ４として示している。図３および図４からも明らかなように、長手方向に沿って先端側に最も突出した位置（Ｈ１）に第１先端面２３ａが形成され、それより基端側の位置（Ｈ４）に送気送水ノズル３４の頭頂部３４ｂが形成されている。さらに基端側の位置（Ｈ３）に第３先端面２３ｃが形成されている。そして最も基端側の位置（Ｈ２）に第２先端面２３ｂが形成されている。【００２５】
このため、最も先端方向に突出された第１先端面２３ａの対物レンズ１１８を被観察対象に良好に接触させ易くなる。また、例え観察対象の観察面に対して斜めに接する（あるいは、異なる深さで接する）場合であっても、送気送水ノズル３４における頭頂部３４ｂの頭頂面（Ｈ４）が観察対象と接触し、第１照明窓２９ｂおよび第２照明窓３０ｂが設けられる第３先端面２３ｃ（Ｈ３）が観察対象に接触することを確実に防止する。このため、例え観察部の観察窓を体腔内等の観察部位に接触させて長時間観察したとしても、熱の影響を観察部位に与えること無く、観察を十分に行なうことができ、観察性の向上を図ることができる。【００２６】
なお、本実施形態では、第２先端面２３ｂを第３先端面２３ｃよりも長手方向に沿って基端側に設けているが、送気送水ノズル３４における頭頂部３４ｂの頭頂面が第１照明窓２９ｂおよび第２照明窓３０ｂよりも先端側に位置していれば良い。よって、第２先端面２３ｂと第３先端面２３ｃとの長手方向に沿った位置が同じでも良く、さらに述べれば、第３先端面２３ｃよりも第２先端面２３ｂが長手方向に沿った先端側に設けられていても良い。【００２７】
さらに、送気送水ノズル３４の頭頂部３４ｂにおける長手方向の位置を、観察窓である対物レンズ１１８の位置（即ち第１先端面２３ａの位置）と同じにしても、上述した作用効果と同様の作用効果を奏するものである。【００２８】
次に、本実施の形態の内視鏡２の挿入部１１の先端部に配設される各部について詳しく説明する。【００２９】
図３、図４に示すように、挿入部１１の先端部１５内には、硬質な金属からなる円柱部材（先端硬性部材）１５ａと、この円柱部材１５ａの基端側外周部を外嵌する円環状の補強環１５ｂが配設されている。円柱部材１５ａには、挿入部１１の軸方向と平行な複数、本実施の形態では六つの孔である第１貫通孔１５ａ１乃至第６貫通孔１５ａ６（図３中には第１貫通孔１５ａ１と第６貫通孔１５ａ６のみを示す）が形成されている。補強環１５ｂの基端部分は、前述した最先端の湾曲駒と連結されている。【００３０】
また、第１貫通孔１５ａ１乃至第３貫通孔１５ａ３は、観察部２８と、第１照明部２９および第２照明部３０とそれぞれ対応する部位に形成されており、それぞれ、観察部２８、第１照明部２９および第２照明部３０の各構成要素が組み込まれている。【００３１】
更に、第４貫通孔１５ａ４乃至第６貫通孔１５ａ６は、処置具挿通チャンネル３３の先端開口部３３ａと、送気送水ノズル３４と、流体供給用の管路３０の開口部３０ａとそれぞれ対応する部位に形成されており、それぞれ、処置具挿通チャンネル３３の管路、送気送水ノズル３４、前方送水用の管路３０の構成要素が組み込まれている。【００３２】
また、円柱部材１５ａの先端面および円柱部材１５ａの先端側外周部には先端カバー２４が外嵌される状態で装着されている。【００３３】
第５貫通孔１５ａ５の先端に設けられる送気送水ノズル３４は、略Ｌ字形状に曲げられた管状部材である。この送気送水ノズル３４の先端部は、観察部２８の観察光学系１１５における対物レンズ１１８に向けて配置されている。具体的には、送気送水ノズル３４の先端開口部の噴出口３４ａは対物レンズ１１８が設けられる第１先端面２３ａと、該第１先端面２３ａと隣接する送気送水ノズル３４が設けられる第２先端面２３ｂとの間の斜面を流体の第１先端面２３ａへのガイド面として対向配置されている。【００３４】
尚、送気送水ノズル３４は、図１に示すように、その先端側が合流して一つに形成されている送気送水管路１０６に接続され、送気送水管路１０６の基端側が送気管路１０６ａと送水管路１０６ｂに分岐している。そして、この送気送水管路１０６は、挿入部１１、内視鏡２の操作部１２およびユニバーサルケーブル１３を経由してコネクタ１４まで挿通しており、送気送水装置６に接続される。尚、図１中、内視鏡２の操作部１２に記した符号１０９は送気送水を行なう送気送水スイッチを示す。【００３５】
次に、観察部２８について説明する。【００３６】
観察部２８には、接離兼用型の観察光学系１１５が設けられている。この接離兼用型の観察光学系１１５は、合焦位置を標準位置から近接位置の間で変更可能なレンズユニット１１６と、このレンズユニット１１６の後方に配置された電気部品ユニット１１７とを有している。【００３７】
レンズユニット１１６の最先端部分が対物レンズ１１８となっている。そしてレンズユニット１１６の内部には、撮影光軸に対して進退可能な移動光学ユニットとして、移動レンズ枠１１９とこれに支持される移動レンズ１２０を有する。【００３８】
レンズユニット１１６の内部には移動レンズ枠１１９撮影光軸に沿って進退可能に保持するガイド空間１２１が設けられている。このガイド空間１２１の後方にも図示しないレンズが配設されている。【００３９】
以上のように構成される観察光学系１１５に対し、移動レンズ枠１１９には、該移動レンズ枠１１９aを撮影光軸に沿って進退させる操作ワイヤ１２６の先端部が固定されている。【００４０】
この操作ワイヤ１２６は、挿入部１１の基端側から延出して観察部２８と連結し、挿入部１１の長手方向に進退させて観察部２８の焦点位置切り換えを行なう線状部材で形成されている。【００４１】
そして、内視鏡２の操作部１２に設けられる図示しないレバーがユーザーにより操作されることにより、操作ワイヤ１２６が撮影光軸方向に対して進退駆動される。【００４２】
このとき、操作ワイヤ１２６が先端方向に押し出される操作にともない移動レンズ枠１１９は、前方（標準位置方向）に向けて移動される。逆に、操作ワイヤ１２６が手元側方向に引っ張られる操作にともない移動レンズ枠１１９は、手元側（近接位置方向）に向けて移動される。【００４３】
すなわち、移動レンズ枠１１９が前記ガイド空間１２１の最後端位置以外の位置に移動されている状態が、観察対象に対して非接触状態で観察する範囲（通常観察モード）に設定されている。そして、移動レンズ枠１１９がガイド空間１２１の最後端位置に移動された状態が、観察対象に対して接触状態で観察する観察位置（モニタ観察倍率で２００倍乃至１０００倍程度の対象物接触観察モード）に設定されている。これにより、図示しないレバーの操作によって移動レンズ枠１１９が観察対象に対して非接触状態で観察する観察位置（通常観察モード）と、観察対象に対して接触状態で観察する観察位置（対象物接触観察モード）とに切り換え可能になっている。【００４４】
前述した如く、レンズユニット１１６の後端部には電気部品ユニット１１７が連設されている。電気部品ユニット１１７は、ＣＣＤイメージセンサ、ＣＭＯＳイメージセンサ等の撮像素子１２２と、回路基板１２３とを有する。更に、撮像素子１２２の前面の受光面側には、カバーガラス１２４が設けられている。【００４５】
カバーガラス１２４はレンズユニット１１６の後端に固定されている。これにより、レンズユニット１１６と、電気部品ユニット１１７とが一体化された接離兼用型の観察光学系１１５が形成される。【００４６】
回路基板１２３は、後端部分の側方に電気部品および配線パターンを有し、この配線パターンに信号ケーブル１２５における複数の信号線の先端が半田付け等の手段によって接続されている。更に、カバーガラス１２４、撮像素子１２２、回路基板１２３および信号ケーブル１２５の先端部分は、それぞれの外周部が一体的に絶縁封止樹脂等により覆われている。【００４７】
そして、レンズユニット１１６から撮像素子１２２に結像される光学像が撮像素子１２２によって電気的な画像信号に光電変換され、その画像信号が回路基板１２３に出力される。更に、回路基板１２３から出力される光学像の電気信号が信号ケーブル１２５を介して後続の電気機器であるプロセッサ４に伝送される。【００４８】
また、図１に示すように撮像素子１２２の信号ケーブル１２５は、挿入部１１、操作部１２、ユニバーサルケーブル１３の内部を順次介してコネクタ１４内に延出されている。コネクタ１４内にはリレー基板８６が内蔵されている。このリレー基板８６には信号ケーブル１２５の基端部が接続されている。そして、信号ケーブル１２５は、コネクタ１４内のリレー基板８６を介して信号ケーブル８７と接続されている。【００４９】
更に、コネクタ１４のリレー基板８６は、コネクタ１４内の信号ケーブル８７およびスコープケーブル８内の信号線８８を介してプロセッサ４内の観察光学系１１５の撮像素子１２２を駆動するドライブ回路１１０、リレー基板８６を介して撮像素子１２２から出力される撮像信号に対して信号処理を行なう信号処理回路１１１、信号処理回路１１１等の動作状態を制御する制御回路８９等と接続されている。【００５０】
次に、図４を基に、照明系を構成する第１照明部２９および第２照明部３０について説明する。【００５１】
第１照明部２９および第２照明部３０は、略同一に構成されている。第１照明部２９および第２照明部３０には、それぞれ第１照明レンズ群２９ａおよび第２照明レンズ群３０ａの後端部に照明光を伝送する第１ライトガイド３１ａおよび第２ライトガイド３１ｂの先端部分が配設されている。第１ライトガイド３１ａおよび第２ライトガイド３１ｂは、先端部分に図示しない円筒部材が被せられ、複数のファイバ繊維を束ねている外皮と、例えばゴア素材である保護チューブとにより被覆されている。【００５２】
本実施の形態では、第１ライトガイド３１ａおよび第２ライトガイド３１ｂは、例えば内視鏡２の操作部１２内で１本のライトガイド束３１から分岐され、挿入部１１において２本に分割された状態で挿通されている。２本に分割された第１ライトガイド３１ａおよび第２ライトガイド３１ｂの先端部は、先端カバー２４に設けられた二つの照明窓、すなわち、第１照明窓２９ｂおよび第２照明窓３０ｂを含む第１照明レンズ群２９ａおよび第２照明レンズ群３０ａの背面近傍にそれぞれ対向配置され、円柱部材１５ａの第２貫通孔１５ａ２と、第３貫通孔１５ａ３の後端部に、例えば、ねじ止め固定されている。【００５３】
図１に示すように、ライトガイド束３１は、挿入部１１、内視鏡２の操作部１２、ユニバーサルケーブル１３の内部を順次介してコネクタ１４内に延出されている。ライトガイド束３１の基端部側は、コネクタ１４から突出するライトガイド束コネクタの入射端部９６に接続されている。そして、このライトガイド束コネクタの入射端部９６が光源装置３に着脱可能に接続されている。【００５４】
そして、光源装置３の照明ランプ９７からの照明光がライトガイド束コネクタの入射端部９６に照射され、ライトガイド束３１を介して導光される照明光が第１照明レンズ群２９ａおよび第２照明レンズ群３０ａを介して内視鏡２の前方に出射されるようになっている。【００５５】
尚、本実施の形態では、第１照明部２９および第２照明部３０により観察対象視野に照明光を照射する例で説明したが、三つ以上の照明部により観察対象視野に照明光を照射するように構成しても良い。【００５６】
一方、先端部１５の円柱部材１５ａに形成される第４貫通孔１５ａ４には基端部側から処置具挿通チャンネル３３に連通する連通管の先端部分が挿嵌されている。この連通管の基端部は円柱部材１５ａの後方に突出され、この連通管の基端部分に処置具挿通チャンネル３３の先端部が連結されている。この処置具挿通チャンネル３３の先端は、連通管を介して先端カバー２４の先端開口部３３ａに連通されている。【００５７】
この処置具挿通チャンネル３３は、挿入部１１の基端付近で分岐し、一方は内視鏡２の操作部１２に配設される図示しない処置具挿入口まで挿通している。また他方は、挿入部１１およびユニバーサルケーブル１３内を通って吸引チャンネルに連通し、その基端がコネクタ１４を介して図示しない吸引手段に接続される。【００５８】
また、先端部１５の円柱部材１５ａに形成される第６貫通孔１５ａ６には、後端部側から略円筒状の図示しない管部材の先端部分が挿嵌されている。この管部材の基端部は円柱部材１５ａの後方に突出され、この管部材の基端部分に前方送水用管路３０の先端部が連結されている。尚、前方送水用管路３０の先端部は管部材の基端部分を覆い、先端部分が糸巻きにより接続固定されている。【００５９】
この前方送水用管路３０は、挿入部１１、内視鏡２の操作部１２およびユニバーサルケーブル１３を通って、コネクタ１４まで挿通しており、前方送水装置７に接続される。この前方送水用管路３０の中途部には、内視鏡２の操作部１２において、図示しない前方送水ボタンが介装されている。【００６０】
そして、この前方送水ボタンが操作されると、挿入部１１の先端カバー２４の開口部３０ａから体腔への挿入方向に向かって滅菌水等の液体が吹き付けられる。これにより、体腔内の被検部位に付着した体液等を洗浄することができる。尚、図１に示すように、前方送水装置７から延出するケーブルにフットスイッチ７ａが接続されており、このフットスイッチ７ａの操作により、ユーザーは、挿入部１１の先端カバー２４の開口部３０ａから体腔への挿入方向に向かって滅菌水等の液体を吹き付けることもできる。【００６１】
以上の内視鏡２の構成により、内視鏡２の操作部１２には、コネクタ１４内のリレー基板８６と信号線１１３ａ，１１３ｂを介して接続される制御スイッチ１１２ａ，１１２ｂと、送気送水ボタン１０９と、図示しない湾曲操作ノブと、観察光学系１１５の合焦位置変更操作を行なう図示しないレバーと、図示しない前方送水ボタンと、上述の図示しない処置具挿通口とが設けられている。【００６２】
また、内視鏡２の挿入部１１の先端部１５には、上述のように観察部２８と、この観察部２８の焦点切り換えを行なう操作ワイヤ１２６と、第１照明窓２９ｂおよび第２照明窓３０ｂと、送気送水管路１０６と連結される送気送水ノズル３４とが配設される。【００６３】
そして、これらを前述した如く配設することにより、図５に示すように、観察光学系１１５における対物レンズ１１８の両側に位置する二つの照明窓、すなわち、第１照明窓２９ｂおよび第２照明窓３０ｂの中心（図５中、点Ｐａ１、点Ｐａ２）を結ぶ直線Ｌａは、対物レンズ１１８の中心（図５中、点Ｐｂ１）と操作ワイヤ１２６の中心（図５中、点Ｐｂ２）とを結ぶ直線Ｌｂと交差して設けられる。【００６４】
すなわち、挿入部１１の先端部１５に設けられる観察部２８は、この観察部２８の焦点切り換えを行なう機構（操作ワイヤ１２６の進退機構）が併設されて一側部が突出した形状となり、この形状に対応して先端部１５を形成すると、突出した部分の両側にデッドスペースが生じてしまうおそれがある。本発明の実施の形態では、このようなデッドスペースを有効利用するために、上述の如く、対物レンズ１１８と操作ワイヤ１２６と対物レンズ１１８両側に位置する二つの照明窓、すなわち、第１照明窓２９ｂおよび第２照明窓３０ｂを配設するものである。こうして挿入部１１の先端部１５のスペースをデッドスペースが生じること無く有効利用して、挿入部１１の先端部１５の細径化を図ることができる。【００６５】
また、操作ワイヤ１２６の先端は、挿入部１１の基端側から延出して送気送水ノズル３４の基端部と連結する送気送水管路１０６と、挿入部１１の基端側から延出して観察部２８と連結する信号ケーブル１２５との間に配設し、送気送水ノズル３４と観察部２８との間に配設した。具体的には、図５に示すように、対物レンズ１１８の中心（図５中、点Ｐｂ１）と送気送水ノズル３４の流入口中心（図５中、点Ｐｃ）を結ぶ直線Ｌｃと平行な観察部外径の両接線Ｌｄ１、Ｌｄ２間に、操作ワイヤ１２６の先端を配設した。このため、より省スペースで外径の細径化を図ることが可能となっている。【００６６】
このように本発明の実施の形態によれば、内視鏡２における挿入部１１の先端部１５を、対物レンズ１１８が設けられる第１先端面２３ａを先端方向に最も突出した位置に形成し、次に、送気送水ノズル３４の頭頂部３４ｂの頭頂面の位置を先端方向に突出した位置に形成し、続いて、第１照明窓２９ｂおよび第２照明窓３０ｂが設けられる第３先端面２３ｃの位置を先端方向に突出した位置に形成した。このため、最も先端方向に突出された第１先端面２３ａの対物レンズ１１８を被観察対象に良好に接触させ易くなる。また、例え観察対象の観察面に対して斜めに接する（あるいは、異なる深さで接する）場合であっても、送気送水ノズル３４の頭頂部３４ｂの頭頂面が観察対象と接触し、第１照明窓２９ｂおよび第２照明窓３０ｂが設けられる第３先端面２３ｃが観察対象に接触することを確実に防止する。従って、例え観察部の観察窓を体腔内等の観察部位に接触させて長時間観察したとしても、熱の影響を観察部位に与えること無く、観察を十分に行なうことができ、観察性の向上を図ることができる。【００６７】
本出願は、２０１５年５月１３日に日本国に出願された特願２０１５−０９８４５０号を優先権主張の基礎として出願するものであり、上記の内容は、本願明細書、請求の範囲、図面に引用されたものである。
【要約】
内視鏡２の挿入部１１の先端部１５において、対物レンズ１１８を先端方向に最も突出した位置に形成し、次に、送気送水ノズル３４の頭頂部３４ｂの頭頂面の位置を先端方向に突出した位置に形成し、続いて、二つ（第１，第２）の照明部２９ａ，２９ｂを先端方向に突出した位置に形成した。【図１】
0006023922.tif 000002
【図２】
0006023922.tif 000003
【図３】
0006023922.tif 000004
【図４】
0006023922.tif 000005
【図５】
0006023922.tif 000006